(57)【要約】【課題】記録されたコピー制御用の情報の秘匿性を確保する。【解決手段】ディスク原盤ＤＳに、記録マークが、ウォブル信号に応じてその読取方向と交わる方向に変動した位置に形成されている。ウォブル信号は、非規則的なパターンで構成されたビット列を含む第２データを所定の変調方式で変調を施して得られる。【選択図】      図３
2005025792.tif 000002
【特許請求の範囲】
【請求項１】
第１データに応じて長短とされる記録マークが、第２データを所定の変調方式で変調して得た信号に応じて、当該記録マークの読取方向と交わる方向に変動した位置に形成された情報記録媒体であって、
前記第２データのビット列は、所定の情報を非規則的パターン化したものであることを特徴とする情報記録媒体。
【請求項２】
前記第２データのビット列の一部又は全部は、所定のデータを用いて前記所定の情報を非規則的パターン化して得られたものであることを特徴とする請求項１に記載の情報記録媒体。
【請求項３】
前記所定のデータは第１のランダムパターンであり、前記非規則的パターン化はランダム化であることを特徴とする請求項２に記載の情報記録媒体。
【請求項４】
前記所定の変調方式は、前記第２データをスペクトラム拡散変調するものであり、
前記第１のランダムパターンは、前記スペクトラム拡散変調に用いられる第２のランダムパターンと異なるパターンであることを特徴とする請求項３に記載の情報記録媒体。
【請求項５】
前記所定のデータは、所定の規則に従って前記第１データから抽出されたビット列であることを特徴とする請求項２に記載の情報記録媒体。
【請求項６】
前記所定の規則とは、第１データに含まれるエラー訂正符号を抽出することであることを特徴とする請求項５に記載の情報記録媒体。
【請求項７】
前記第２データは、第１ビット列と前記第１ビット列の終わりに続く第２ビット列とを含み、前記第１ビット列は前記第１のランダムパターンを用いて前記所定の情報をランダム化して得られたものであり、前記第２ビット列は所定のランダムデータであることを特徴とする請求項３に記載の情報記録媒体。
【請求項８】
請求項１に記載の情報記録媒体から前記所定の情報を再生する情報再生装置であって、
前記情報記録媒体に記録された前記記録マークを読取る読取手段と、
前記読取手段の出力信号に基づき、前記第１データを再生する第１データ再生手段と、
前記読取手段の出力信号に基づき、前記記録マークの変動位置を示すウォブル信号を生成するウォブル信号生成手段と、
前記生成されたウォブル信号に基づいて前記第２データを再生する第２データ再生手段と、
前記再生された第２データの一部又は全部に対して、前記非規則的パターン化の逆処理を施して前記所定の情報を再生する情報再生手段と、を備えることを特徴とする情報再生装置。
【請求項９】
請求項８に記載の情報再生装置であって、
前記第２データのビット列の一部又は全部は、所定のデータを用いて前記所定の情報を非規則的パターン化して得られたものであり、
前記情報再生手段は、前記所定のデータを用いて前記非規則的パターン化の逆処理を施して前記所定の情報を再生することを特徴とする情報再生装置。
【請求項１０】
請求項９に記載の情報再生装置であって、
前記所定のデータは第１のランダムパターンであると共に、前記非規則的パターン化はランダム化であり、
前記情報再生手段は、前記第１のランダムパターンを用いて逆ランダム化処理を施して前記所定の情報を再生することを特徴とする情報再生装置。
【請求項１１】
請求項８に記載の情報再生装置であって、
前記所定のデータは、所定の規則に従って前記第１データから抽出されたビット列であり、
前記情報再生装置は更に、
前記所定の規則に従って前記再生された第１データからビット列を抽出して前記所定のデータを生成する復元用データ生成手段を備え、
前記情報再生手段は、前記再生された第２データの一部又は全部に対して、前記生成された所定のデータを用いて非規則的パターン化の逆処理を施して前記所定の情報を再生することを特徴とする情報再生装置。
【請求項１２】
請求項１に記載の情報記録媒体から前記所定の情報を再生する情報再生方法であって、
前記情報記録媒体に記録された前記記録マークを読取るステップと、
前記読取手段の出力信号に基づき、前記第１データを再生するステップと、
前記読取手段の出力信号に基づき、前記記録マークの変動位置を示すウォブル信号を生成するステップと、
前記生成されたウォブル信号に基づいて前記第２データを再生するステップと、
前記再生された第２データの一部又は全部に対して、前記非規則的パターン化の逆処理を施して前記所定の情報を再生するステップと、を備えることを特徴とする情報再生方法。
【発明の詳細な説明】
【発明の属する技術分野】
本発明は、本発明は、光ディスク等の情報記録媒体及び当該媒体から情報を再生する技術に関する。
【０００１】
【従来の技術】
ＣＤやＤＶＤに代表される光ディスクでは、ピットの長短で情報を記録している。しかし、例えば、不正コピー防止等のためのコピー制御用の情報を記録するため、ピットによる記録容量を減少させることなく別の記録領域を確保したいという要求がある。
【０００２】
ピットの長短による方法以外の手段によって記録容量を高める方式として、ピットの位置を光ディスクの半径方向に変動させる技術が知られている。この技術は、ピットの位置を光ディスクの半径方向にウォブリングさせ、そのウォブルをスペクトラム拡散することで情報を記録するものである（例えば、特許文献１）
【０００３】
この技術は、コピー制御用の情報を含む所定のデータに同期信号を付加し、これをランダムデータでスペクトラム拡散してウォブル信号を生成し、ウォブル信号に応じて記録マークの位置をウォブリングさせる。この場合、ウォブルがスペクトラム拡散されているため、所定のデータの秘匿性をある程度高めることができる。
【０００４】
【特許文献１】
特開２００３−８５８９６号公報
【０００５】
【発明が解決しようとする課題】
ところで、同期信号は、特定のデータパターンを有し、一定の周期で所定のデータに付加されている。従って、スペクトラム拡散されてランダマイズされているが、光ディスクからウォブル信号を再生し、再生したウォブル信号から特定のデータパターンの同期信号を検出される可能性がある。すると、同期信号を元に所定のデータブロックが抽出されてしまい、著作権等の情報に係るコピー制御用の情報解析の手がかりを与えてしまうという問題が生じる。
【０００６】
本発明が解決しようとする課題としては、記録されたコピー制御用の情報の秘匿性を確保する情報記録媒体を提供することが一例として挙げられる。
【０００７】
【課題を解決するための手段】
請求項１に記載の発明は、第１データに応じて長短とされる記録マークが、第２データを所定の変調方式で変調して得た信号に応じて、当該記録マークの読取方向と交わる方向に変動した位置に形成された情報記録媒体であって、前記第２データのビット列は、所定の情報を非規則的パターン化したものであることを特徴とする。
【０００８】
請求項８に記載の発明は、請求項１に記載の情報記録媒体から前記所定の情報を再生する情報再生装置であって、前記情報記録媒体に記録された前記記録マークを読取る読取手段と、前記読取手段の出力信号に基づき、前記第１データを再生する第１データ再生手段と、前記読取手段の出力信号に基づき、前記記録マークの変動位置を示すウォブル信号を生成するウォブル信号生成手段と、前記生成されたウォブル信号に基づいて前記第２データを再生する第２データ再生手段と、前記再生された第２データの一部又は全部に対して、前記非規則的パターン化の逆処理を施して前記所定の情報を再生する情報再生手段と、を備えることを特徴とする。
【０００９】
請求項１に記載の情報記録媒体から前記所定の情報を再生する情報再生方法であって、前記情報記録媒体に記録された前記記録マークを読取るステップと、前記読取手段の出力信号に基づき、前記第１データを再生するステップと、前記読取手段の出力信号に基づき、前記記録マークの変動位置を示すウォブル信号を生成するステップと、前記生成されたウォブル信号に基づいて前記第２データを再生するステップと、前記再生された第２データの一部又は全部に対して、前記非規則的パターン化の逆処理を施して前記所定の情報を再生するステップと、を備えることを特徴とする。
【００１０】
【発明の実施の形態】
以下、本発明の好適な実施の形態について説明する。本発明の一実施形態に係る情報記録媒体は、円盤状の形状をしており、例えば、ＣＤ（Ｃｏｍｐａｃｔ  Ｄｉｓｃ）、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｃ）、ＤＶＤ−ＲＯＭ（Ｄｉｇｉｔａｌ  Ｖｅｒｓａｔｉｌｅ  Ｄｉｓｃ  Ｒｅａｄ  Ｏｎｌｙ  Ｍｅｍｏｒｙ）などの種々の光ディスクが含まれる。
【００１１】
情報記録媒体には、周回状のトラックに沿って記録マークがピットとして形成されている。この記録マークの長短に応じて第１データが記録される。また、トラックは、これを拡大して見ると、読取方向と交わる方向に蛇行している。トラックの蛇行はウォブルと呼ばれ、信号（ウォブル信号）に応じた形状となっている。ウォブル信号は、第２データを所定の変調方式で変調を施して得られる。換言すれば、記録マークはウォブル信号に応じてその読取方向と交わる方向に変動した位置に形成されている。
【００１２】
ここで、第２データのビット列は、非規則的パターン化されている。非規則的パターンとは、同期信号等の周期的な特定のデータパターンや、あるいは、データ終了後に挿入される零データ等の規則的な値を含まないことを意味する。このため、情報記録媒体からウォブル信号を再生して、そこに記録されている第２データを再生しようとしても、第２データの開始位置を特定する手がかりとなる同期信号や零データといった規則的なパターンが存在しないので、第２データの秘匿性を大幅に向上させることができる。特に、第２データとして、不正コピー防止等のためのコピー制御用の情報を採用する場合には、不正な複製を有効に禁止することができる。
【００１３】
また、第２データのビット列の一部又は全部は、所定のデータを用いて所定の情報を非規則的パターン化して得られたものであることが好ましい。更に、所定のデータは第１のランダムパターンあり、非規則的パターン化はランダム化であることが好ましい。この場合には、再生時に第１のランダムパターンを用いることによって、所定の情報を再生することができる。また、ランダム化処理としては、例えば、所定のランダムパターンと所定の情報とを演算すればよく、イクスシブルオア回路による乗算等が該当する。なお、第２データのビット列の一部が所定の情報をランダム化して得られたものである場合、残りのビット列は、何等かの方法により非規則的パターンとなっていることは勿論である。
【００１４】
さらに、所定の変調方式は、第２データをスペクトラム拡散変調するものであり、第１のランダムパターンは、スペクトラム拡散変調に用いられる第２のランダムパターンと異なるパターンであることが好ましい。同一のランダムパターンを用いて乗算すると、スペクトラム拡散の演算によって、逆ランダム処理が施されることになるからである。このスペクトラム拡散によって、情報記録媒体からウォブル信号を再生してもノイズにしか見えないため、所定の情報の秘匿性をより一層向上させることができる。
【００１５】
くわえて、所定のデータ（非規則的パターン生成データ）は、所定の規則に従って第１データから抽出されたビット列であることが好ましい。この場合には、第１データの内容によってパターンが変更されるので、固定のパターンを用いる場合と比較して、所定の情報の秘匿性を向上させることができる。ここで、所定の規則には、第１データの特定の位置に含まれるビット列を抽出するといった規則が含まれる。より具体的には、第１データに含まれるエラー訂正符号を所定のデータ（非規則的パターン生成データ）として採用してもよい。
【００１６】
また、第２データは、第１ビット列と第１ビット列の終わりに続く第２ビット列とを含み、第１ビット列は所定のランダムパターンを用いて所定の情報をランダム化して得られたものであり、第２ビット列は所定のランダムデータであることが好ましい。一般に、あるデータ領域に容量の少ないデータを記録する場合、残りの領域を零データで満たす処理が行われることが多い。しかし、このような処理を実行すると、零データが特定のデータパターンとなって、第２データの先頭位置を解析する手がかりを与えることになりかねない。そこで、本実施形態では、第２ビット列として、零データで埋めるべき部分を所定のランダムデータを記録することによって、第２データの開始位置の特定を困難にして、所定の情報の秘匿性を向上させている。
【００１７】
次に、本実施形態に係る情報再生装置について説明する。この情報再生装置は、所定の情報記録媒体から所定の情報を再生する。当該情報記録媒体には、長短とされる記録マークの長短によって第１データが記録されている。また、第２データを所定の変調方式で変調して得た信号（ウォブル信号）に応じて、記録マークがその読取方向と交わる方向に変動した位置に形成されている。さらに、第２データのビット列の一部又は全部は、所定のデータを用いて所定の情報を非規則的パターン化して得られたものである。
【００１８】
情報再生装置は、読取手段、第１データ再生手段、ウォブル信号生成手段、第２データ再生手段、及び情報再生手段を備える。読取手段は、情報記録媒体に記録された記録マークを読み取る。第１データ生成手段は、読取手段の出力信号に基づき、第１データを再生する。ウォブル信号生成手段は、読取手段の出力信号に基づき、記録マークの変動位置を示すウォブル信号を生成する。第２データ再生手段は、生成されたウォブル信号に基づいて第２データを再生する。情報再生手段は、再生された第２データの一部又は全部に対して、非規則的パターン化の逆処理を施して所定の情報を再生する。
【００１９】
この情報再生装置によれば、記録時の非規則的パターン化と逆処理を施すので、第２データから所定の情報を再生することが可能となる。この場合、第２データの開始位置を特定する手がかりとなる同期信号や零データといった規則的なパターンが存在しないので、第２データの秘匿性を大幅に向上させることができる。また、再生時における第２データの先頭は、例えば、第１データに含まれる同期信号に基づいて定めることができる。
【００２０】
また、情報記録媒体において、所定のデータは第１のランダムパターンであると共に、非規則的パターン化がランダム化であるならば、情報再生手段は、第１のランダムパターンを用いて逆ランダム化処理を施して所定の情報を再生することが好ましい。さらに、所定のデータが、所定の規則に従って第１データから抽出されたビット列である場合、情報再生装置は、所定の規則に従って再生された第１データからビット列を抽出して所定のデータを生成する復元用データ生成手段を備え、情報再生手段は、再生された第２データの一部又は全部に対して、生成された所定のデータを用いて非規則的パターンの逆処理を施して所定の情報を再生することが好ましい。
【００２１】
この情報再生装置によれば、所定の情報を再生するために必要なデータが第１データから抽出される。第１データのビット列は変化するので、非規則的パターンを固定化するとこなく変化させることができる。これによって、所定の情報の秘匿性をより一層向上させることができる。なお、所定の規則は、例えば、第１データに含まれる同期信号を基準として何バイト目のビット列といったようにビット列を指定してもよい。
【００２２】
【実施例】
次に、本発明の好適な実施例について、図面を参照して説明する。本実施例では、情報記録媒体としてＤＶＤを一例として取り上げて説明するが、本発明はこれに限定されるものではないことは勿論である。
【００２３】
＜１．第１実施例＞
＜１−１．マスタリング装置＞
図１は、マスタリング装置の全体構成を示すブロック図である。マスタリング装置１００は、ディスク原盤ＤＳを作成するための装置であり、記録ユニット２、ディスク原盤ＤＳを回転させるスピンドルモータ３及びサーボユニット４を備える。ディスク原盤ＤＳは、例えば、フォトレジストを塗布したガラス原盤として構成される。記録ユニット２は、レーザー光を照射するレーザーダイオード、レーザー光をディスク原盤ＤＳに集光させる光学系、レーザーダイオード及び光学系を一体として、ディスク原盤ＤＳの半径方向に移動させるスライダー装置を備える。レーザーダイオードは、ドライバ１５から供給される駆動信号に応じたパワーのレーザー光を発光する。スライダー装置はサーボユニット４からの制御信号に従って、光学系及びレーザーダイオードをディスク原盤ＤＳの半径方向に移動させる。
【００２４】
サーボユニット４には、第１クロック信号ＣＫ１及びピット同期信号ＳＹＮＣｐが供給される。サーボユニット４は、これらの信号に同期して、スピンドルモータ３の回転を制御するスピンドルサーボ、レーザー光のフォーカスを制御するフォーカスサーボ及びスライダー装置を制御するスライドサーボを実行する。このうち、スライドサーボでは、螺旋状のトラックを形成するための信号にウォブル信号ＷＢを加算して制御信号が生成され、この制御信号によってスライダー装置が制御される。
【００２５】
第１クロック信号ＣＫ１は第１クロック信号発生回路２１によって生成される。この例において、第１クロック信号ＣＫ１の周波数は１０．５ＭＨｚである。第１クロック信号ＣＫ１はピットデータＤＰの時間基準となる。また、分周回路２２は、第１クロック信号ＣＫ１を分周して第２クロック信号ＣＫ２等を生成する。第２クロック信号ＣＫ２の周波数は４２０ＫＨｚであり、ウォブル信号ＷＢの生成に用いられ、その時間基準となる。
【００２６】
図２にディスク原盤ＤＳに形成されるトラックを示す。ディスク原盤ＤＳには、周回状のトラックに沿って記録マークがピットＰとして形成されている。この記録マークの長短に応じてピットデータＤＰが記録される。また、トラックは、これを拡大して見ると、読取方向と交わる方向に蛇行している。トラックの蛇行はウォブルと呼ばれ、ウォブル信号ＷＢに応じた形状となっている。即ち、記録マークはウォブル信号ＷＢに応じて読取方向と交わる方向に変動した位置に形成される。
【００２７】
説明を図１に戻す。マスタリング装置１００には、外部機器から入力データＤｉｎが供給される。入力データＤｉｎはインターフェース１０を介してバッファ１１に取り込まれる。バッファ１１に取り込まれた入力データＤｉｎは、ＣＰＵの制御の下、ピットデータＤＰとウォブルデータＤＷａとに分割され、ピットデータメモリ１２とウォブルデータメモリ１６とに各々転送される。ピットデータＤＰは、例えば、画像や音声の情報を含み、ウォブルデータＤＷａは、例えば、不正コピー防止等のためのコピー制御用の情報を含む。なお、ピットデータＤＰは上述した第１データに相当し、ウォブルデータＤＷａは上述した所定の情報に相当する。
【００２８】
ＣＰＵは、ピットデータメモリ１２からピットデータＤＰを読み出してＥＣＣ生成回路１３に供給する。ＥＣＣ生成回路１３はピットデータＤＰのデータ順を予め定められた規則に従って並べ替えるスクランブル処理を施した後、エラー訂正コードを生成してこれに付加する。エラー訂正コードは、内符号（ＰＩ）及び外符号（ＰＯ）から構成される。ＤＶＤ変調回路１４は、ＥＣＣ生成回路の出力データに変調を施したピットデータＤＰを生成する。このピットデータＤＰには、ＳＹＮＣタイミング生成回路２３で生成されたピット同期信号ＳＹＮＣｐが付加される。
【００２９】
一方、ウォブルデータメモリ１６に記憶されたウォブルデータＤＷａは、ＣＰＵの制御の下、そこから読み出されてランダム変換回路１７Ａに供給される。ランダム変換回路１７Ａは、所定のランダムパターンが記憶されている変換テーブルＴＢＬを用いて、ウォブルデータＤＷａをランダム化してランダム化ウォブルデータＤＷｂを生成する。ランダム変換回路１７Ａの変換テーブルＴＢＬに記憶されたランダムパターンは、ランダム関数を用いて生成されるビット列であり、後述するスペクトラム拡散変調に用いられるランダムパターンと異なるパターンにより構成されている。この例のランダム変換回路１７Ａは、例えば、イクスシブルオア回路ＸＯＲによって構成されるが、本発明はこれに限定されるものではなく、ランダムパターンを用いてランダム化するのであれば、ウォブルデータＤＷａにどのような演算を施してランダム化ウォブルデータＤＷｂを生成してもよい。なお、ランダム化に用いられるランダムパターンは上述した所定のデータ及び第１のランダムパターンに相当する。
【００３０】
ランダム化ウォブルデータＤＷｂはＥＣＣ生成回路１８に供給される。ＥＣＣ生成回路１８はランダム化ウォブルデータＤＷｂに基づいてエラー訂正コードを生成し、これを変換後のランダム化ウォブルデータＤＷｂに付加する。エラー訂正コードが付加されたランダム化ウォブルデータＤＷｂは上述した第２データに相当する。ＲＡＮＤテーブル２０にはスペクトラム拡散に用いられるランダムパターンが記憶されている。このランダムパターンは拡散符号に相当し、ランダム関数を用いて生成されるビット列である。ＲＡＮＤテーブル２０には第２クロック信号ＣＫ２が供給され、第２クロック信号ＣＫ２に同期してランダムパターンが読み出され、ランダムデータＲＮＤとしてスペクトラム拡散変調回路１９に供給される。
【００３１】
スペクトラム拡散変調回路１９は、エラー訂正コードが付加されたランダム化ウォブルデータＤＷｂとランダムデータＲＮＤとを乗算してスペクトラム拡散データＳＳを生成する。このスペクトラム拡散によって、光ディスクからウォブル信号ＷＢを再生してもノイズにしか見えないため、ウォブルデータＤＷａの秘匿性をより一層向上させることができる。
【００３２】
上述したようにランダム変換回路１７Ａで用いるランダムパターンとスペクトラム拡散変調に用いるランダムパターンとを異なるようにしたのは、同一のランダムパターンを用いて乗算すると、スペクトラム拡散の演算によって、逆ランダム処理が施され、スペクトラム拡散データＳＳがウォブルデータＤＷａと一致してしまいウォブルデータＤＷａの秘匿性が失われてしまうからである。
【００３３】
ウォブル信号変換回路２４は、スペクトラム拡散データＳＳをウォブル信号ＷＢに変換する。この例のウォブル信号変換回路２４は、バンドパスフィルタ又はローパスフィルタで構成されており、スペクトラム拡散データＳＳを帯域制限してウォブル信号ＷＢを生成する。
【００３４】
図３にピットデータＤＰ及びスペクトラム拡散のソースデータのデータフォーマットを示す。本実施例では、エラー訂正コードが付加されるピットデータＤＰのデータ単位をＥＣＣブロックという。１個のＥＣＣブロックは１６個のセクターを含み、１個のセクターは２６個の同期フレームを含む。そして、同期フレームの先頭にピット同期信号ＳＹＮＣｐが配置される。
【００３５】
また、スペクトラム拡散のソースデータは、ピットデータＤＰの１セクター期間に、１４バイトのエラー訂正コード及び６４バイトのランダム化ウォブルデータＤＷｂを含む。また、図３に示すように、入力データＤｉｎのデータ単位はピットデータＤＰ及びウォブルデータＤＷａから構成されている。そして、図１を参照して説明したように、入力データＤｉｎがピットデータＤＰとウォブルデータＤＷａとに分割され、ウォブルデータＤＷａに対してランダム変換処理が施されることにより、ランダム化ウォブルデータＤＷｂが得られる。ウォブル信号ＷＢは、ランダム化ウォブルデータＤＷｂをスペクトラム拡散変調し、更に帯域制限して得られる波形となる。
【００３６】
マスタリング装置１００によって記録マークが形成されたディスク原盤ＤＳは、現像され、レジスト原盤となる。この後、レジスト原盤を基にメッキを行う電鋳プロセスを経て、メタルマスタを１枚作成し、１枚のメタルマスタから複数枚のマザーを作成する。さらに、複数枚のマザーから複数枚のスタンパを作成する。このスタンパを用いてプラスッチック等の樹脂をプレス加工することによって光ディスク１が製造される。
【００３７】
図３を参照して説明したように、スペクトラム拡散のソースデータは、ランダム化ウォブルデータＤＷｂとエラー訂正コードにより構成されているため、そのビット列は非規則的パターンとなる。即ち、同期信号等の規則的なデータパターンを含まない。よって、光ディスク１からウォブル信号ＷＢを再生して、そこに記録されているランダム化ウォブルデータＤＷｂを再生しようとしても、そこにはランダム化ウォブルデータＤＷｂの開始位置を特定する手がかりとなる同期信号等の規則的なパターンが存在しないので、ランダム化ウォブルデータＤＷｂ及びそこに含まれるウォブルデータＤＷａの秘匿性を大幅に向上させることができる。その結果、不正な複製を有効に禁止することができる。
【００３８】
＜１−２．情報再生装置＞
次に、情報再生装置について説明する。図４は情報再生装置２００の全体構成を示すブロック図である。光ディスク１には、第１クロック信号ＣＫ１に同期したピットデータＤＰが記録マークの長短によって記録されている。この例の記録マークはピットＰであり、トラックはピット列によって構成される。トラックは、ランダム化ウォブルデータＤＷｂに基づいて生成されたウォブル信号ＷＢに応じて蛇行した形状になっている。ウォブル信号ＷＢは第２クロック信号ＣＫ２に同期している。第１クロック信号ＣＫ１は第２クロック信号ＣＫ２のＮ（Ｎは自然数）倍の周波数を有する。この例では、Ｎ＝２５であり、第２クロック信号ＣＫ２は４２０ＫＨｚ、第１クロック信号ＣＫ１は１０．５ＭＨｚである。
【００３９】
情報再生装置２００は、光ディスク１に対して再生ビームを照射するとともに反射光に応じた信号を出力する光ピックアップ２０２と、光ディスク１の回転を制御するスピンドルモータ２０３と、サーボユニット２２２を備える。サーボユニット２２２には、第１クロック信号ＣＫ１及びピット同期信号ＳＹＮＣｐが供給される。サーボユニット２２２は、これらの信号に同期して、スピンドルモータ２０３の回転を制御するスピンドルサーボ、光ピックアップ２０２の光ディスク１に対する相対的位置制御であるフォーカスサーボ及びトラッキングサーボを実行する。
【００４０】
光ピックアップ２０２は、再生ビームを照射するレーザーダイオード、４分割検出回路を備える（図示略）。４分割検出回路は、再生ビームの反射光を図４に示す領域１Ａ、１Ｂ、１Ｃ、１Ｄに４分割し、各領域の光量に応じた信号を各々出力する。ヘッドアンプ２０４は、光ピックアップ２０２の各出力信号を各々増幅し、領域１Ａに対応する分割読取信号１ａ、領域１Ｂに対応する分割読取信号１ｂ、領域１Ｃに対応する分割読取信号１ｃ、及び領域１Ｄに対応する分割読取信号１ｄを出力する。尚、光ピックアップ２０２及びヘッドアンプ２０４は上述した読取手段に相当する。
【００４１】
総和生成回路２１０は、分割読取信号１ａ、１ｂ、１ｃ、及び１ｄを加算して、総和読取信号ＳＲＦを出力する加算回路からなる。尚、総和読取信号ＳＲＦは、記録マークの長短を表す信号である。
【００４２】
ピットデータ復調回路２１１は、総和読取信号ＳＲＦに基づいてピットデータＤＰを再生すると共に第１クロック信号ＣＫ１を生成する。総和生成回路２１０及びピットデータ復調回路２１１は上述した第１データ再生手段に相当する。図５は、ピットデータ復調回路２１１の構成を示すブロック図である。この図に示すようにピットデータ復調回路２１１は、第１クロック信号再生回路３１、ピットデータ抜出回路３２、同期信号検出回路３３、ピットデータ復調回路３４、及びデスクランブル回路３５を備える。
【００４３】
第１クロック信号再生回路３１は、総和読取信号ＳＲＦに基づいてピットデータＤＰに同期した第１クロック信号ＣＫ１を再生する。ピットデータ抜出回路３２は、総和読取信号ＳＲＦを２値化して得た２値化信号を第１クロック信号ＣＫ１でサンプリングして、ピットデータＤＰを再生する。
【００４４】
同期信号検出回路３３は、再生されたピットデータＤＰに含まれる同期パターンを検出し、ピット同期信号ＳＹＮＣｐを生成する。同期パターンは、他のピットデータに含まれていない特定のデータパターンであって、一定の周期を有する。ピット同期信号ＳＹＮＣｐは、同期パターンのタイミングを指示する信号である。
【００４５】
ピットデータ復調回路３４は、ピット同期信号ＳＹＮＣｐを基準位置として、再生されたピットデータＤＰを所定のテーブルを用いて復調して再生データを生成する。例えば、変調方式としてＥＦＭ変調が採用される場合には、１４ビットのピットデータＤＰを８ビットの再生データに変換する処理が施される。デスクランブル回路３５は再生データの順序を予め定められた規則に従って並べ換えるデスクランブル処理を実行し、処理済の再生データを出力する。
【００４６】
このようにして得られた再生データは、図４に示すピットデータ訂正回路２１２へ供給され、そこで、エラー訂正処理や補間処理等が施された後、バッファ２１３に記憶される。インターフェース２１４はバッファ２１３に記憶されたデータを順次読み出して所定の出力形式に変換して外部機器へ出力する。
【００４７】
プッシュプル信号生成回路２２０は、（１ａ＋１ｄ）−（１ｂ＋１ｃ）を算出して、プッシュプル信号を生成する。成分（１ａ＋１ｄ）は、読取方向に対して左側の領域１Ａ及び１Ｄに対応する一方、成分（１ｂ＋１ｃ）は、読取方向に対して右側の領域１Ｂ及び１Ｃに対応する。即ち、再生ビームがピットに対して左側に偏っていれば、プッシュプル信号は振幅中心を基準として正極性となり、再生ビームがピットの中央に位置する場合はプッシュプル信号の値は振幅中心となり、再生ビームがピットに対して右側に偏っていれば、プッシュプル信号は振幅中心を基準として負極性となる。再生ビームとピットの相対的な位置は、トラックの蛇行に応じて変化し、プッシュプル信号の値は再生ビームとピットの相対的な位置関係を表している。即ち、プッシュプル信号は、トラックの蛇行に応じた信号である。
【００４８】
プッシュプル信号はローパスフィルタ２２１を介してサーボユニット２２２へ出力される。サーボユニット２２２は、プッシュプル信号に基づいてトラッキング制御を実行する。また、プッシュプル信号はバンドパスフィルタ２２３に供給される。バンドパスフィルタ２２３の通過帯域は、記録時においてランダム変換されたウォブルデータＤＷｂをスペクトラム拡散変調して得たウォブル信号ＷＢをプッシュプル信号から抽出できるように設定されている。従って、バンドパスフィルタ２２３の出力信号は、光ディスク１からウォブル信号ＷＢを再生したものとなる。なお、プッシュプル信号生成回路２２０及びバンドパスフィルタ２２３は上述したウォブル信号生成手段に相当する。
【００４９】
図６にウォブル信号ＷＢ、２値化信号Ａ、第１クロック信号ＣＫ１、第２クロック信号ＣＫ２、及びピット同期信号ＳＹＮＣｐのタイミングチャートを示す。コンパレータ２２４は、ウォブル信号ＷＢを２値化した２値化信号Ａを出力する。ウォブル信号ＷＢは、周波数が低いので、ゼロクロス付近において波形の傾きが緩やかである。このため、２値化信号Ａは大きなジッタ成分を有する。サンプリング回路２２５は、第２クロック信号ＣＫ２を用いて２値化信号Ａをサンプリングして、データを抜き出してスペクトラム拡散データＳＳを再生する。なお、コンパレータ２２４及びサンプリング回路２２５は、上述したデータ再生手段に相当する。
【００５０】
この例では、第１クロック信号ＣＫ１の周波数ｆ１が１０．５ＭＨｚであり、第２クロック信号ＣＫ２の周波数ｆ２が４２０ＫＨｚであるため、分周回路２２６は、第１クロック信号ＣＫ１を１／２５分周して第２クロック信号ＣＫ２を生成する。従って、図６に示すように第２クロック信号ＣＫ２の一周期の中に２５個の第１クロック信号ＣＫ１が入る。また、分周回路２２６は、リセット端子Ｒの電圧がアクティブ（ローレベル）になると、リセットされるようになっており、このリセット端子Ｒにはピット同期信号ＳＹＮＣｐが供給される。従って、第２クロック信号ＣＫ２は、ピット同期信号ＳＹＮＣｐの立ち下がりによってリセットされ、その位相がピット同期信号ＳＹＮＣｐによって定まる。
【００５１】
ピットデータＤＰには、２５＊Ｋ（Ｋは自然数）ビットの周期で同期パターンが挿入されており、同期パターンと第２クロック信号ＣＫ２の立ち上がりエッジが一致する関係にある。即ち、同期パターンは第２クロック信号ＣＫ２の自然数倍の周期を有する。この場合、図６に示すタイミングでピット同期信号ＳＹＮＣｐがアクティブとなると、分周回路２２６がリセットされ、ピット同期信号ＳＹＮＣｐと第２クロック信号ＣＫ２の位相が調整される。これによって、第２クロック信号ＣＫ２の立ち上がりエッジの発生タイミングを、より周波数の高い第１クロック信号ＣＫ１によって調整することができる。従って、２値化信号Ａのエッジがジッタの影響を受けて揺らいでも、スペクトラム拡散データＳＳを正確に抜き出すことが可能となる。
【００５２】
図４に戻り、説明を続ける。ＲＡＮＤテーブル２２７には、記録時のスペクトラム拡散変調に用いたランダムパターンが記憶されている。ランダムパターンは拡散符号に相当し、ランダム関数を用いて生成されるビット列である。ＲＡＮＤテーブル２２７には第２クロック信号ＣＫ２が供給され、第２クロック信号ＣＫ２に同期してランダムパターンが読み出されることにより、ランダムデータＲＮＤが生成され、生成されたランダムデータＲＮＤはスペクトラム拡散データ復調回路２２８に供給される。
【００５３】
スペクトラム拡散復調回路２２８は、乗算回路（例えば、イクスシブルオア回路ＸＯＲ）によって構成され、スペクトラム拡散データＳＳに逆スペクトラム拡散を施す。具体的には、再生されたスペクトラム拡散データＳＳは、乗算回路によってランダムデータＲＮＤと掛け算される。これにより、ランダム化ウォブルデータＤＷｂが再生される。この際、元々の信号帯域でない信号は、掛け算によって帯域外の信号に変換される。こうして再生されたランダム化ウォブルデータＤＷｂは、エラー訂正回路２２９においてエラー訂正が施される。尚、コンパレータ２２４、サンプリング回路２２５、ＲＡＮＤテーブル２２７、及びスペクトラム拡散復調回路２２８によって、上述した第２データ再生手段が構成される。
【００５４】
ランダム逆変換回路２３０Ａは、記録時に、ウォブルデータＤＷａのランダム変換に用いたランダムパターンが記憶された変換テーブルＴＢＬを用いて、ランダム化ウォブルデータＤＷｂを逆変換する。ランダム逆変換回路２３０Ａは乗算回路（例えば、イクスシブルオア回路ＸＯＲ）を備える。具体的には、再生されたランダム化ウォブルデータＤＷｂと、記録時と同一のランダムパターンとの乗算が実行され、ウォブルデータＤＷａが再生される。尚、ランダム逆変換回路２３０Ａは上述した情報再生手段に相当する。
【００５５】
このように、第１実施例の情報再生装置は、記録時に用いられた所定のランダムパターンと同じランダムパターンを用いてランダム化ウォブルデータＤＷｂを逆変換するので、秘匿性の高いウォブルデータＤＷａを再生することが可能となる。
【００５６】
＜２：第２実施例＞
＜２−１：マスタリング装置＞
図７は、マスタリング装置の全体構成示すブロック図である。第２実施例におけるマスタリング装置１００の構成は、ランダム変換回路１７Ｂの詳細な構成を除いて、図１に示すマスタリング装置１００の構成と同様である。よって、第２実施例におけるマスタリング装置１００について、ランダム変換回路１７Ｂについてのみ、図７を参照して説明する。
【００５７】
ランダム変換回路１７Ｂには、ＥＣＣ生成回路１３がピットデータＤＰに基づいて生成するエラー訂正コードを構成する内符号（ＰＩ）及び外符号（ＰＯ）のうち、外符号（ＰＯ）が供給される。ランダム変換回路１７Ｂは、外符号（ＰＯ）をランダムパターンとして用い、ウォブルデータＤＷａをランダム化してランダム化ウォブルデータＤＷｂを生成する。ランダム化処理が乗算である場合、ランダム変換回路１７Ｂは、例えば、イクスシブルオア回路ＸＯＲによって構成することができる。なお、ランダム化処理の演算は、加算、減算、乗算、除算、又はこれらの組合せ、若しくは、所定の関数に従った演算が含まれる。
【００５８】
図８に、第２実施例に係るピットデータＤＰ及びスペクトラム拡散のソースデータのデータフォーマットを示す。第２実施例のピットデータＤＰは、図３を参照して説明した第１実施例におけるピットデータと同様のデータフォーマットにより構成されている。
【００５９】
一方、スペクトラム拡散のソースデータのうち、ランダム化ウォブルデータＤＷｂは、ピットデータＤＰに付加されるエラー訂正コードの外符号（ＰＯ）を用いて生成される。従って、第２実施例によれば、ピットデータＤＰの内容によって、ウォブルデータＤＷａのランダム化に用いられるランダムパターンが変更されるので、第１実施例のように固定のランダムパターンを用いる場合と比較して、ウォブルデータＤＷａの秘匿性をより一層向上させることができる。
【００６０】
＜２−２：情報再生装置＞
次に、第２実施例の情報再生装置について説明する。図９は、情報再生装置２００の全体構成を示すブロック図である。第２実施例における情報再生装置２００は、ランダム逆変換回路２３０Ｂの詳細な構成を除いて、図４に示す情報再生装置２００と同様に構成されている。尚、第２実施例における光ディスク１の主要な構成は、第１実施例と同様の構成となっている。
【００６１】
ランダム逆変換回路２３０Ｂには、再生されたピットデータＤＰからピットデータ訂正回路２１２においてエラー訂正処理が施されたピットデータＤＰのエラー訂正コードの外符号（ＰＯ）が供給される。この外符号（ＰＯ）は、記録時にウォブルデータＤＷａのランダム化に用いたランダムパターンである。ランダム逆変換回路２３０Ｂは、この外符号（ＰＯ）を用いて、ランダム化ウォブルデータＤＷｂを逆変換する。ランダム逆変換回路２３０Ｂは、乗算回路（例えば、イクスシブルオア回路ＸＯＲ）を備える。ランダム逆変換回路２３０Ｂにおいて、ランダム化ウォブルデータＤＷｂは、乗算回路で記録時と同一の外符号（ＰＯ）と掛け算され、ウォブルデータＤＷａが再生される。尚、第２実施例において、ピットデータ訂正回路２１２は上述した復元用データ生成手段に相当する。
【００６２】
＜３：第３実施例＞
次に本発明の第３実施例について、図１０を参照して説明する。上述した第１実施例又は第２実施例において、ウォブルデータＤＷａのデータ量が光ディスク１に割り当てられるデータ量に対して少ないことがある。このように、あるデータ領域に容量の少ないデータを記録する場合、残りの領域を零データで満たす処理が行われることが多い。例えば、図１０（ｂ）に示す例では、ウォブルデータＤＷａが第１ビット列６０１Ａと第２ビット列６０１Ｃとから構成されている。第１ビット列６０１Ａは実データであって、その最後には実データの終わりを指示するエンドマークがデータ値“ＦＦ”として付加されている。そして、エンドマークに続く第２ビット列６０１Ｂは、零データ“００”が埋められている。
【００６３】
これに対して、本実施例では、図１０（ａ）に示すように、ウォブルデータＤＷａは第１ビット列６０１Ａと第２ビット列６０１Ｂとから構成されている。即ち、エンドマークに続いて、ランダムデータが第２ビット列６０１Ｂとして挿入されている。
【００６４】
図１０（ｂ）に示す例では、零データが特定のデータパターンとなって、ウォブルデータＤＷａの先頭位置を解析する手がかりを与えることになりかねない。しかしながら、本実施例では、第２ビット列６０１Ａを構成するデータ値は夫々適当な値を取るので、ウォブルデータＤＷａの開始位置の特定はより困難になる。よって、第３実施例によれば、ウォブルデータＤＷａの秘匿性をより高めることができる。
【００６５】
上述したランダムデータを残りの領域に埋め込む処理は、例えば、図１及び図７に示すウォブルデータメモリ１６とランダム変換回路１７Ａ又は１７Ｂとの間にランダムデータ挿入回路を設け、これによって実行すればよい。なお、この例では、ウォブルデータＤＷａに対して処理を実行したが、ランダム化ウォブルデータＤＷｂに対して同様の処理を実行してもよい。この場合には、ランダム変換回路１７Ａ又は１７ＢとＥＣＣ回路１８との間にランダムデータ挿入回路を設ければよい。
【図面の簡単な説明】
【図１】本発明の第１実施例に係るマスタリング装置の概略構成を示すブロック図である。
【図２】ディスク原盤ＤＳに形成されるトラックを示す説明図である。
【図３】本発明の第１実施例に係るピットデータＤＰ及びスペクトラム拡散のソースデータのデータフォーマットを示す説明図である。
【図４】本発明の第１実施例に係る情報再生装置２００の全体構成を示すブロック図である。
【図５】ピットデータ復調回路２１１の構成を示すブロック図である。
【図６】ウォブル信号ＷＢ、２値化信号Ａ、第１クロック信号ＣＫ１、第２クロック信号ＣＫ２、及びピット同期信号ＳＹＮＣｐのタイミングチャートである。
【図７】本発明の第２実施例に係るマスタリング装置の概略構成を示すブロック図である。
【図８】本発明の第２実施例に係るピットデータＤＰ及びスペクトラム拡散のソースデータのデータフォーマットを示す説明図である。
【図９】本発明の第２実施例に係る情報再生装置２００の全体構成を示すブロック図である。
【図１０】本発明の第３実施例に係るウォブルデータ、及び第３実施例に対する比較例に係るウォブルデータのデータフォーマットを示す説明図である。
【符号の説明】
１  光ディスク
１７Ａ、１７Ｂ  ランダム変換回路
１００  マスタリング装置
２００  情報再生装置
２２８  スペクトラム拡散復調回路
２２７  ＲＡＮＤテーブル
ＤＷａ  ウォブルデータ
ＤＷｂ  ランダム化ウォブルデータ
ＳＳ  スペクトラム拡散データ
ＣＫ１  第１クロック信号
ＣＫ２  第２クロック信号
【図１】
2005025792.tif 000003
【図２】
2005025792.tif 000004
【図３】
2005025792.tif 000005
【図４】
2005025792.tif 000006
【図５】
2005025792.tif 000007
【図６】
2005025792.tif 000008
【図７】
2005025792.tif 000009
【図８】
2005025792.tif 000010
【図９】
2005025792.tif 000011
【図１０】
2005025792.tif 000012